(57)【要約】【課題】ダイアル装置に外観上の高級感を与える場合、簡易な構成で製作上のコスト上昇を抑えたダイアル装置を提供する。【解決手段】回転軸線の方向に深さを有して端面が開放された円筒状の中空部を有した回転操作を受ける円筒形状の外観部材で、中空部口元から所定の深さ位置に口元直径より大きい円周溝と、中空部口元から中空部深さ方向に回転軸線と平行して中空部内面に設けられた平行溝とを有した円筒外観部材と、中空部内径に嵌合する円板形状の円板部と、円板部の円周方向に設けられた貫通溝と、これに共なって形成された弾性梁部と、弾性梁部から円板部の径方向の外に突出して円周溝に係合するため設けられた第１の係合突部と、内面溝と嵌合するため円板部から外方向に向かって突出した第２の係合突部と、円板部と一体的に形成された軸部とを有する軸部材と、を具備している。【選択図】図６
2015145987.tif 000002
【特許請求の範囲】
【請求項１】
ダイアル装置において、
一端面が閉じられ、回転軸線の方向に深さを有して他端面が開放された円筒状の中空部を有した回転操作を受ける円筒形状の外観部材であり、該中空部の内部に該中空部の口元から所定の深さ位置に該口元の直径より大きい直径を有して設けられた円周溝と、該中空部の口元から該中空部の深さ方向に該回転軸線と平行して該中空部内面に設けられた平行溝とを有した円筒外観部材と、
上記中空部内径に嵌合する円板形状を有した円板部と、該円板部の円周方向に設けられた貫通溝と、該貫通溝の形成に共なって形成された弾性を有した弾性梁部と、該弾性梁部から上記円板部の径方向の外に突出して上記円周溝に係合して上記円筒外観部材から外れないようにするため設けられた第１の係合突部と、上記内面溝と嵌合して上記円筒外観部材との相対回転を防止するため該円板部から外方向に向かって突出した第２の係合突部と、該円板部と一体的に形成された軸部とを有する軸部材と、
を具備したことを特徴したダイアル装置。
【請求項２】
上記円筒外観部材は金属材料からなることを特徴とした上記請求項１記載のダイアル装置。
【請求項３】
上記ダイアル装置はカメラに設けられていることを特徴とした上記請求項１乃至２記載のダイアル装置。
【発明の詳細な説明】
【技術分野】
【０００１】
本発明は電子機器などに用いられるダイアル装置に関する。
【背景技術】
【０００２】
カメラ等などほとんどの電子機器には、それら機器自身の機能設定等を行うためのダイアルが備え付けられている。例えば特許文献１のカメラのモードダイヤルは、外観部材として外部に露出され、回転するための軸部が設けられている。また特許文献２のカメラのモード設定ダイヤルは、ダイヤル本体と飾りカバーとで構成されている。
【先行技術文献】
【特許文献】
【０００３】
【特許文献１】特開２００５−２９５０５５
【特許文献２】特開２００５−２５７７２６
【発明の概要】
【発明が解決しようとする課題】
【０００４】
ところが特開２００５−２９５０５５のモードダイヤルを製作するとき、合成外観を重要視するとき、合成樹脂などから成型した部品にメッキを施したり、金属材料などを削り出ししたりするが、やはり前者においては高級感を出せないことは無いが、メッキの出来具合により歩留まりが悪い、またどうしても形状的に歪みが出た成形品にメッキをするためその出来上がりに不満が残ってしまうという面があった。また後者においては旋盤などで部品製品より大きい素材に対し中削りを行いながら軸部を形成するという低コストで行うことが難しい面がある。また、特開２００５−２５７７２６は外観部材としてのモード設定ダイヤルは２体化されており、外力が掛かると飾りカバーが剥離してしまうということもある。
【０００５】
本発明の目的は電子機器などに用いられるダイアル装置に外観上の高級感を与える場合に、簡易な構成として製作上のコスト上昇を抑えたダイアル装置を提供することにある。
【課題を解決するための手段】
【０００６】
本発明のダイアル装置は、一端面が閉じられ、回転軸線の方向に深さを有して他端面が開放された円筒状の中空部を有した回転操作を受ける円筒形状の外観部材であり、該中空部の内部に該中空部の口元から所定の深さ位置に該口元の直径より大きい直径を有して設けられた円周溝と、該中空部の口元から該中空部の深さ方向に該回転軸線と平行して該中空部内面に設けられた平行溝とを有した円筒外観部材と、上記中空部内径に嵌合する円板形状を有した円板部と、該円板部の円周方向に設けられた貫通溝と、該貫通溝の形成に共なって形成された弾性を有した弾性梁部と、該弾性梁部から上記円板部の径方向の外に突出して上記円周溝に係合して上記円筒外観部材から外れないようにするため設けられた第１の係合突部と、上記内面溝と嵌合して上記円筒外観部材との相対回転を防止するため該円板部から外方向に向かって突出した第２の係合突部と、該円板部と一体的に形成された軸部とを有する軸部材と、を具備する。
【発明の効果】
【０００７】
本発明によれば電子機器などに用いられるダイアル装置に外観上の高級感を与える場合に、簡易な構成として製作上のコスト上昇を抑えたダイアル装置を提供することができる。
【図面の簡単な説明】
【０００８】
【図１】本発明の一実施形態のダイアル装置を備えたカメラの上板を上方より見たときを示した平面図である。
【図２】図１に示された線分Ｌで断面としたダイアル装置の縦断面を示した縦断面図である。
【図３】図１に示されたダイアル装置を構成するダイアルを分解したときを示した分解斜視図である。
【図４】図３に示すダイアル部材を下方より見たときを示した平面図である。
【図５】図４に示す線分ＭＯ、線分ＭＮで断面としたダイアル部材の断面を示した断面図である。
【図６】図３で示すダイアル部材と軸部材とを組み立てたダイアル組立体を示し、図４における線分ＭＮで断面とした断面を示す断面組立図である。
【発明を実施するための形態】
【０００９】
以下に図示の実施の形態により本発明を説明する。
【００１０】
本発明は本発明の実施形態は、本発明のダイアル装置を適用する工業製品，機器として、例えば写真撮影を行なう撮影機器（撮影装置）、即ちカメラを例示するものである。具体的には、本実施形態のダイアル装置は、カメラの外面に取り付けられる複数の操作部材のうち回動操作し得るように構成されるダイヤル状操作部材に適用した例を示している。
【００１１】
図１は、本発明の一実施形態のダイアル装置を備えたカメラの上板を上方より見たときを示した平面図である。図２は、図１に示された線分Ｌで断面としたダイアル装置の縦断面を示した縦断面図である。図３は、図１に示されたダイアル装置を構成するダイアルを分解したときを示した分解斜視図である。図４は、図３に示すダイアル部材を下方より見たときを示した平面図である。図５は図４に示す線分ＭＯ、線分ＭＮで断面としたダイアル部材の断面を示した断面図である。図６は、図３で示すダイアル部材と軸部材とを組み立てたダイアル組立体を示し、図４における線分ＭＮで断面とした断面組立図を示す。
【００１２】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１３】
まず、本実施形態のダイアル装置を適用した工業製品，電子機器としてのカメラの上板組立体である図１乃至図６で説明をする。
【００１４】
図１は、カメラボディの構成を省略しカメラの上板組立体１のみを示す。この上板の組立体１には種々の操作装置が示され本発明のダイアル装置も組み込まれ、その外観が示されている。ダイアル装置はダイアル２を外観に露出させ、ダイアル２は回転可能に装備されている。
【００１５】
図２においては、図１における線分Lで断面され、矢印ＡＡで示される方向から見た断面を示した縦断面図である。
【００１６】
ダイアル装置は、主に、基台５と、軸嵌合した軸部材３と、この軸部材を外観的に覆い、軸部材３と共に回転するダイアル部材２と、軸部材３と回転を共にする遮光円板４と、この遮光版の回転を検出するための光検出器であるフォトインタラプタ６とで構成されている。
【００１７】
図３は、図２におけるダイアル装置からダイアル部材２と軸部材３を抜き出した分解奢侈図を示したものである。
【００１８】
図３に示した軸部材３は、主に、円板状の円板部３ａと、これと一体に構成された円板部３ａの回転中心となる軸部３ｂからなっていて、合成樹脂から成型された部品からなっている。本実施形態の円板部３ａには円板部最外径円周に近い円周上に等分に互いが離間して円弧状の長溝である貫通溝３ｃを複数個である３つ有している。従って、円板部３ａはこれら貫通溝の外に円弧状の円周方向に細長い弾性を有した梁部（弾性梁部）を必然的に３つ有する。そしてこれら梁部３ｄ毎に、梁の中央に一つずつ径方向外側に向かって突出した凸部３ｅ（第１の係合突部）を３つ有している。また、凸部３ｅの凸部頂点を結ぶ包絡線となる外接円の直径Ａ３（図６参照）は下記の説明するダイアル部材２に設定される二つの直径Ａ０、Ａ１との関係においてＡ０＞Ａ３＞Ａ１の関係を有する（図５、図６参照）。この凸部３ｅを径方向内径側に向かって押圧すると、梁部３ｄは貫通溝３ｃの溝幅を小さくする方向に撓む。さらに梁部３ｄ以外の外周面からは円周方向に等分して互いに離間して配置された径方向外側に向かって突出した凸部３ｆ（第２の係合突部）を３つ有している。
【００１９】
図４は、図３を下方から見たときのダイアル部材２の平面図である。ダイアル部材２は外部から回転操作を受ける外観部品（外観部材、円筒外観部材）である。そして図５は図４における線分ＭＮにて断面され、矢印ＢＢの方向に見たときのダイアル部材２の単体の縦断面図である。ダイアル部材２は例えば金属材料、具体的にはアルミニユウム材からなり、棒状部材から削りだされ円板状若しくは円筒状を呈し、その中身は円板中心を中心として一定の深さで中空状（円筒状）に中削りされている。従ってダイアル部材２は冠状に形成されている。つまり一端面が閉じられ、回転軸線の方向に深さを有して他端面が開放された円筒状の中空部を有している。ダイアル部材２は口元が直径Ａ１で中削りされ、所定の深さのところで直径Ａ１の中繰り部、すなわち中空部に直径Ａ１と同軸で直径Ａ１より大きい直径Ａ０の円周溝２ａが設けられている。ダイアル部材２の外周面はローレットが施され外部からの回転操作を受けやすいようになっている。またダイアル部材２の外部端面は外観となり必要な面処理、例えば鏡面処理、黒処理等が施される。必要に応じメッキ処理が施されてもよい。また直径Ａ１の内周面には回転軸と平行、言い換えれば外周面の母線と平行な直進溝２ｂ（内面溝）が開放端口元より円周溝２ａに亘って設けられている。本実施形態では円周方向に等間隔に、互いに離間して直進溝２ｂが３つ設けられている。
【００２０】
図６はダイアル部材２と軸部材３とを一体化させた組み立て図である。すなわち図３の図中において、ダイアル部材２の下面にあたる開口端からダイアル部材２の中空部内に軸部材３の円板部３ａを嵌入させる。そのとき、その嵌合のため、軸部材３の各凸部３ｆをダイアル部材２の直進溝２ｂに嵌合挿入する。そうすると軸部材３の凸部３ｅそれぞれを結ぶ包絡線の円の直径Ａ３がダイアル部材２の中空部口元の直径Ａ１より大きいので、凸部３ｅは内周面に摺接しながら梁部３ｄの弾性力に抗して、梁部３ｄを変形させ中空部  内径側に変位する。そうして円板部３ａが中空部の深さ方向に挿入されると、凸部３ｅそれぞれは梁部３ｄの弾性力により外径方向に変位しようとして円周溝２ａ中に嵌る。この状態でダイアル部材２と軸部材３は軸部３ｂの中心軸に関して相対回転しないで、かつ互いに軸方向に外れることも無くダイアル組立体として固く一体となる。
【００２１】
このダイアル組立体は、上板１ａに取り付けられた、軸部３ｂの軸受部材となる基台５の軸受貫通穴５ａに外側より嵌合挿通される。その後、基台５に設けられたフォトインタラプタ６の光受光部と光発光部との間に、遮光円板４の羽部分を挿入しながら軸部３ｂと遮光円板４の軸穴とを嵌合させる。そして軸部材３の軸部３ｂの軸中心に設けられた中心軸下穴にビス７を螺合し、軸部材３と遮光円板４とを一体化させる。
【００２２】
このようにして組立てられたダイアル装置は上板に対し相対回転し、操作者の操作を受けてダイアル２の回転をエンコードすることができる。
【００２３】
本発明によれば、本発明によれば電子機器などに用いられるダイアル装置に外観上の高級感を与える場合に、簡易な構成として製作上のコスト上昇を抑えたダイアル装置を提供することができる。
【００２４】
また、回転軸となる軸部３とダイアル部材２とが強固に一体化し、ダイアル部材２に不用意な外力が与えられても容易に破損することも無くその役目を果たすこともできる。
【産業上の利用可能性】
【００２５】
本発明は、電子機器である撮影機器（カメラ等）に限られることはなく、電源回路，制御回路等を備えた様々な形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器，また、望遠鏡，双眼鏡，顕微鏡等の観察用機器等、各種の電子機器にも広く適用することができる。
【符号の説明】
【００２６】
１・・・カメラ上板組立体、
２・・・ダイアル部材、２ａ・・・円周溝２ａ、２ｂ・・・直進溝２ｂ、
３・・・軸部材、３ａ・・・円板部３ａ、３ｂ・・・軸部３ｂ、３ｃ・・・貫通溝３ｃ  、
３ｄ・・・梁部３ｄ、３ｅ・・・凸部３ｅ、３ｆ・・・凸部３ｆ、
４・・・遮光円板４、
５・・・基台、５ａ・・・軸受貫通穴５ａ、
６・・・フォトインタラプタ６、
７・・・ビス７。
【図１】
2015145987.tif 000003
【図２】
2015145987.tif 000004
【図３】
2015145987.tif 000005
【図４】
2015145987.tif 000006
【図５】
2015145987.tif 000007
【図６】
2015145987.tif 000008